(57)【特許請求の範囲】
【請求項１】
連続した二つの面が開口されたケースと、このケースの二つの面を閉塞するカバーとを備え、これらケースとカバーとを組み付けることにより形成される電子機器用筺体の構造であって、
前記ケースの開口端縁に被係合部を設け、この被係合部に係合することによりケースに対するカバーの移動を規制する係合部を前記カバーに設け、前記ケースとカバーとに、これらケースとカバーとを締結する一つの締結部を設け、
前記ケースは、底板、両側板および背面板からなり上部および前部が開口され、前記カバーは、前記ケースの上部および前部を閉塞する上面板および前面板からなり、
前記ケースの背面板に第１係入溝を設け、前記カバーの上面板に前記第１係入溝に係入され、かつ第１係入溝の下端縁に係合する第１係合片を設け、
前記ケースの両側板に第２係入溝を設け、前記カバーの上面板に前記第２係入溝に係入され、かつ第２係入溝の下端縁に係合する第２係合片を設け、
前記カバーの前面板の下端部に折曲部を設け、この折曲部に前記ケースの底板に対接する対接片を設け、前記ケースの底板に前記カバーの折曲部に対接する対接片を設けたことを特徴とする電子機器用筺体の構造。
【請求項２】
前記ケースの背面板の上端部の全体に前記第１係入溝が形成された折曲部を設け、前記ケースの両側板の上端部の全体に前記第２係入溝が形成された折曲部を設け、前記カバーの折曲部を前面板の下端部の全体に設けたことを特徴とする請求項１記載の電子機器用筺体の構造。
【発明の詳細な説明】
【技術分野】
【０００１】
本発明は、ケースとカバーとを組み付けることにより形成される電子機器用筺体の構造に関するものである。
【背景技術】
【０００２】
従来の電子機器用筺体の構造としては、上板と両側板とを備え、両側板にねじ挿通孔が設けられたカバーと、底板と両側板とを備え、両側板にねじ孔が設けられたケースとからなり、カバーのねじ挿通孔から挿通したねじをケースのねじ孔に螺合させることにより、カバーとケースとを組み付けて筺体を形成するものがある（例えば、特許文献１参照）。
【特許文献１】特開２００３−２０９３７２号公報（段落〔０００９〕、図１、図２、図４）
【発明の開示】
【発明が解決しようとする課題】
【０００３】
上述した従来の電子機器用筺体の構造においては、カバーのねじ挿通孔から挿通したねじをケースのねじ孔に螺合させるときに、ねじ挿通孔とねじ孔とが一致していないと、ねじの螺合作業が煩雑になり、かつ複数本のねじを必要とするためにカバーをケースに組付けるための作業時間が余計にかかるという問題があった。
【０００４】
本発明は上記した従来の問題に鑑みなされたものであり、その目的とするところは、ケースとカバーとの組付け作業を容易にし組付けに要する作業時間を短縮させた電子機器用筺体の構造を提供するところにある。
【課題を解決するための手段】
【０００５】
この目的を達成するために、本発明は、連続した二つの面が開口されたケースと、このケースの二つの面を閉塞するカバーとを備え、これらケースとカバーとを組み付けることにより形成される電子機器用筺体の構造であって、前記ケースの開口端縁に被係合部を設け、この被係合部に係合することによりケースに対するカバーの移動を規制する係合部を前記カバーに設け、前記ケースとカバーとに、これらケースとカバーとを締結する一つの締結部を設け、前記ケースは、底板、両側板および背面板からなり上部および前部が開口され、前記カバーは、前記ケースの上部および前部を閉塞する上面板および前面板からなり、前記ケースの背面板に第１係入溝を設け、前記カバーの上面板に前記第１係入溝に係入され、かつ第１係入溝の下端縁に係合する第１係合片を設け、前記ケースの両側板に第２係入溝を設け、前記カバーの上面板に前記第２係入溝に係入され、かつ第２係入溝の下端縁に係合する第２係合片を設け、 前記カバーの前面板の下端部に折曲部を設け、この折曲部に前記ケースの底板に対接する対接片を設け、前記ケースの底板に前記カバーの折曲部に対接する対接片を設けたものである。
【０００７】
本発明は、前記発明のいずれか一つの発明において、前記ケースの背面板の上端部の全体に前記第１係入溝が形成された折曲部を設け、前記ケースの両側板の上端部の全体に前記第２係入溝が形成された折曲部を設け、前記カバーの折曲部を前面板の下端部の全体に設けたものである。
【発明の効果】
【０００８】
本発明によれば、係合部を被係合部に係合させることにより、ケースとカバーとが位置合わせされるため、ねじ等による締結作業が容易になり、かつ締結部が一つであるためにケースとカバーとの組付け・分解に要する作業時間が短縮される。また、第１係入溝に第１係合片を係入させ、第２係入溝に第２係合片を係入させることにより、ケースとカバーとが位置合わせされるため、ねじ等による締結作業が容易になり、かつ締結部が一つであるためにケースとカバーとの組付け・分解に要する作業時間が短縮される。
【００１０】
前記発明のうちの一つの発明によれば、第１および第２係入溝ならびに対接片が設けられている部位の全体に折曲部が設けられていることにより、第１および第２係入溝ならびに対接片が設けられている部位の強度が増加するだけではなく、ケースとカバーとの間の接合部にドライバー等を差し入れてこじ開けようとするいたずらを規制することができる。
【発明を実施するための最良の形態】
【００１１】
以下、本発明の実施の形態を図に基づいて説明する。図１は本発明に係る筺体の構造を分解して示す斜視図、図２は同じく一部を破断して示す平面図、図３は同じくケースの平面図、図４は同じくカバーの平面図、図５は図２におけるV-V 線断面図、図６は図２におけるVI-VI 線断面図、図７（Ａ）は図２における VII（Ａ）部のカバーの上面板を取り除いた状態を示し、同図（Ｂ）は同図（Ａ）における VII（Ｂ）-VII（Ｂ） 線断面図、図８（Ａ）は図２におけるVIII（Ａ）-VIII（Ａ）線断面図、同図（Ｂ）は図２におけるVIII（Ｂ）-VIII（Ｂ）線断面図である。
【００１２】
図１に全体を符号１で示す電子機器用筺体は、底板５、背面板６および両側板７，８からなり上部９および前部１０が開口した金属製のケース２と、このケース２の上部９および前部１０を閉塞する上面板１１および前面板１２からなる金属製のカバー３とを備えている。ケース２の背面板６の上端部の全体には、ケース２の内側に向かって直角に折曲げ形成された折曲部１３が設けられている。ケース２の両側板７，８の上端部の全体には、ケース２の内側に向かって直角に折曲げ形成された折曲部１４，１５が設けられている。
【００１３】
背面板６の折曲部１３の両端部には、前面側（矢印Ｂ方向）が開口され、背面側（矢印Ａ方向）に延在する被係合部として機能する第１係入溝１６，１７が設けられている。この第１係入溝１６の矢印Ｃ方向側端部には、矢印Ｂ方向へ突設されたガイド突起１６ａが設けられ、第２係入溝１７の矢印Ｄ方向側端部には、矢印Ｂ方向へ突設されたガイド突起１７ａが設けられている。
【００１４】
両側板７，８の各折曲部１４，１５の矢印Ｂ方向側には、Ｌ字状に形成された係入片１８，１９が底板５と平行に突設されており、これら係入片１８，１９と各折曲部１４，１５との間には、矢印Ｂ方向が開口され矢印Ａ方向に延在する被係合部として機能する第２係入溝１８ａ，１９ａが設けられている。
【００１５】
底板５の矢印Ｂ方向の端面５ａは、両側板７，８の矢印Ｂ方向の端面７ａ，８ａよりも長さＬだけ矢印Ａ方向に位置付けられている。この端面５ａには、図８（Ａ）に示すように断面がＬ字状に形成された一対の対接片２０，２０が突設されている。これら対接片２０，２０間であって、底板５の矢印Ｂ方向の端部には、図６に示すようにケース２の内側に向かって突出された締結部２１が設けられており、この締結部２１にはねじ挿通孔２１ａが設けられている。
【００１６】
カバー３の上面板１１の下面であって、矢印Ａ方向側の端部の両端部には、図１に示すように、上記した第１係入溝１６，１７のそれぞれに係入される係合部として機能する第１係合片２３，２４が取り付けられている。これら第１係合片２３，２４の矢印Ａ方向の端部には、図７（Ｂ）に示すように折曲部１３の下面１３ａに係合する段状に形成された係合部２３ａ，２４ａが設けられている。
【００１７】
カバー３の上面板１１の下面であって、矢印Ｂ方向側の端部の両端部には、図１に示すように上記した第２係入溝１８ａ，１９ａのそれぞれに係入される係合部として機能する第２係合片２５，２６が取り付けられている。これら第２係合片２５，２６の矢印Ａ方向の端部には、係入片１８，１９のそれぞれの下面１８ｂ，１９ｂに係合する段状に形成された係合部２５ａ，２６ａが設けられている。
【００１８】
カバー３の前面板１２の下端部には、矢印Ａ方向に向かって直角に折曲形成された折曲部２７が設けられており、この折曲部２７の突出長さはＬに形成されている。この折曲部２７の中央部には、上記したケース２の締結部２１の上面に対接する断面が逆Ｌ字状に形成された締結部２８が設けられており、この締結部２８の中央部にはねじ孔２８ａが形成されている。また、折曲部２７の両端部には、ケース２の底面板５の上面に対接する断面が逆Ｌ字状に形成された対接片２９，２９が設けられている。
【００１９】
次に、このように構成された電子機器用筺体において、ケース２にカバー３を組み付ける方法について説明する。先ず、図１において、カバー３の両側部をケース２の折曲部１４，１５上に対接させた状態で矢印Ａ方向へ摺動させ、ケース２の第１係入溝１６，１７のそれぞれにカバー３の各第１係合片２３，２４を係入させるとともに、第２係入溝１８ａ，１９ａのそれぞれに各第２係合片２５，２６を係入させる。同時に、カバー３の対接片２９，２９を、図８（Ｂ）に示すようにケース２の底板５の矢印Ｂ方向の端部の上面に対接させるとともに、ケース２の対接片２０，２０を、同図（Ａ）に示すようにカバー３の折曲部２７の上面に対接させる。
【００２０】
さらに、図１においてカバー３を矢印Ａ方向に僅かに移動させることにより、カバー３の第１係合片２３，２４の係合部２３ａ，２４ａをケース２の折曲部１３の下面１３ａに係合させるとともに、第２係合片２５，２６の係合部２５ａ，２６ａを係入片１８，１９の下面１８ｂ，１９ｂに係合させる。この状態でカバー３の締結部２８がケース２の締結部２１に対接し、ねじ孔２８ａがねじ挿通孔２１ａに一致する。
【００２１】
このように、第１係入溝１６，１７のそれぞれにカバー３の各第１係合片２３，２４を係入させるとともに、第１係合片２３，２４の係合部２３ａ，２４ａをケース２の折曲部１３の下面に係合させることにより、カバー３がケース２に対して矢印Ｃ−Ｄ方向と上下方向への移動が規制される。
【００２２】
同様に、第２係入溝１８ａ，１９ａのそれぞれに各第２係合片２５，２６を係入させるとともに、第２係合片２５，２６の係合部２５ａ，２６ａを係入片１８，１９の下面１８ａ，１９ａに係合させることにより、カバー３がケース２に対して矢印Ｃ−Ｄ方向と上下方向への移動が規制される。カバー３の対接片２９，２９をケース２の底板５の矢印Ｂ方向の端部の上面に対接させるとともに、ケース２の対接片２０，２０をカバー３の折曲部２７の上面に対接させることにより、カバー３がケース２に対して上下方向への移動が規制される。
【００２３】
この状態で、ケース２の底板５の裏面側から、図６に示すようにねじ挿通孔２１ａに挿通させたねじ３０をねじ孔２８ａに螺合させることにより、ケース２とカバー３とが組み付けられ、通信機器用筺体１が形成される。
【００２４】
このように、カバー３の第１係合片２３，２４の係合部２３ａ，２４ａをケース２の折曲部１３の下面に係合させるとともに、第２係合片２５，２６の係合部２５ａ，２６ａを係入片１８，１９の下面に係合させることにより、ねじ孔２８ａがねじ挿通孔２１ａに一致する。このため、ねじ孔２８ａとねじ挿通孔２１ａとの位置合わせを必要としないから、螺合作業を容易に行うことができるとともに、一本のねじ３０によってケース２とカバー３とを組み付けることができるため、短時間行うことができる。
【００２５】
また、第１の係入溝１６，１７が設けられている部位の全体に折曲部１３が設けられ、第２係入溝１８ａ，１９ａが設けられている部位の全体に折曲部１４，１５が設けられており、対接部２９，２９が設けられている部位の全体に折曲部２７が設けられている。このため、第１の係入溝１６，１７および第２係入溝１８ａ，１９ａならびに対接片２９，２９が設けられている部位の強度が増加するだけではなく、ケース２とカバー３との間の接合部にドライバー等を差し入れてこじ開けようとするいたずらを規制することができる。
【００２６】
なお、本実施の形態においては、第１の係入溝１６，１７および第２係入溝１８ａ，１９ａならびに対接部２９，２９が設けられている部位の全体に折曲部１３，１４，１５，２７を設けたが、特に強度を増加させる必要がない場合は、折曲部を設けなくてもよい。また、ケース２にカバー３を締結するのにボルト３０によって行うようにしたが、締結部２８に長孔を形成し、頭部を有し締結部２１の挿通孔２１ａに回動自在に支持され、先端部に長孔の短軸側の端部に係合する係合部を設けた止め金具によって締結するようにしてもよく、種々の設計変更が可能である。
【図面の簡単な説明】
【００２７】
【図１】本発明に係る通信機器用筺体の構造を分解して示す斜視図である。
【図２】本発明に係る通信機器用筺体の一部を破断して示す平面図である。
【図３】本発明に係る通信機器用筺体のケースの平面図である。
【図４】本発明に係る通信機器用筺体のカバーの平面図である。
【図５】図２におけるV-V 線断面図である。
【図６】図２におけるVI-VI 線断面図である。
【図７】同図（Ａ）は図２における VII（Ａ）部のカバーの上面板を取り除いた状態を示し、同図（Ｂ）は同図（Ａ）における VII（Ｂ）-VII（Ｂ） 線断面図である。
【図８】同図（Ａ）は図２におけるVIII（Ａ）-VIII（Ａ）線断面図、同図（Ｂ）は図２におけるVIII（Ｂ）-VIII（Ｂ）線断面図である。
【符号の説明】
【００２８】
１…通信機器用筺体、２…ケース、３…カバー、５…底板、６…背面板、７，８…側板、１１…上面板、１２…前面板、１３，１４，１５，２７…折曲部、１６，１７…第１係入溝、１８ａ，１９ａ…第２係入溝、２０，２９…対接片、２１，２８…締結部、２１ａ…ねじ挿通孔、２３，２４…第１係合片、２５，２６…第２係合片、２８ａ…ねじ孔。
【図１】
0004930268.tif 000002
【図２】
0004930268.tif 000003
【図３】
0004930268.tif 000004
【図４】
0004930268.tif 000005
【図５】
0004930268.tif 000006
【図６】
0004930268.tif 000007
【図７】
0004930268.tif 000008
【図８】
0004930268.tif 000009